(57)【要約】【課題】本発明の課題は、二種類のコーム、特にストレート櫛歯を有するストレートコームと毛髪逆立て櫛歯を有する毛髪逆立てコームとを別々に備え、この両コームを使い易い状態でひとまとめにし、さらに鞘型ケース体を備えることで、上記のすべての課題を解決できる組み合わせヘアーコームを提供せんとするものである。【解決手段】開口面を有する鞘型ケース体の中に二種類のコーム体を収納し、各コーム体は櫛歯の延伸方向に向かって、鞘型ケース体に対して個別に平行スライド状に出没できるように収納されていることを特徴とする。【選択図】図１
2010233664.tif 000002
【特許請求の範囲】
【請求項１】
開口面を有する鞘型ケース体の中に二種類のコーム体を収納し、各コーム体は櫛歯の延伸方向に向かって、鞘型ケース体に対して個別に平行スライド状に出没できるように収納されていることを特徴とする組み合わせヘアーコーム。
【請求項２】
開口面を有する鞘型ケース体の中に二種類のコーム体を収納し、各コーム体は鞘型ケースの一端部に係止した一本の支軸にまとめて折り畳み自在に軸着され、各コーム体はこの支軸を中心として個別に鞘型ケース体から転動スライド状に出没できるように収納されていることを特徴とする組み合わせヘアーコーム。
【請求項３】
開口面を有する鞘型ケース体の中に二種類のコーム体を収納し、各コーム体は鞘型ケースの両端部に係止した二本の支軸にそれぞれ別個に折り畳み自在に軸着され、各コーム体はこの両支軸を中心として個別に鞘型ケース体から転動スライド状に出没できるように収納されていることを特徴とする組み合わせヘアーコーム。
【請求項４】
二種類のコーム体を折り畳み自在に連結軸で軸着し、このコーム体を二本まとめた状態でも、あるいは一本のコーム体を展開した状態でもコーム体をケース体に嵌合保持するための連結嵌合部を、コーム体と鞘型ケース体の適所に形成したことを特徴とする組み合わせヘアーコーム。
【請求項５】
二種類のコーム体が、ストレート櫛歯を有するストレートコーム体と毛髪逆立て櫛歯を有する毛髪逆立てコーム体であることを特徴とする請求項１乃至４のいずれかに記載の組み合わせヘアーコーム。
【請求項６】
コーム体の先端に近い位置に分け目形成櫛歯を形成し、その手前側に位置する櫛歯を短寸櫛歯に形成することを特徴とする請求項１乃至５のいずれかに記載の組み合わせヘアーコーム。
【発明の詳細な説明】
【技術分野】
【０００１】
本発明は組み合わせヘアーコームに係り、さらに詳しくは、二種類のコームを使い易い形態に結合させてなる使い勝手に優れた組み合わせヘアーコームに関する。
【背景技術】
【０００２】
従来より、毛髪を梳かすコームとして、各種のコームが提案されている。
そのコームの基本的なものは、櫛歯を整然と等間隔で並べて並列させたものであるが、そのほかに毛髪に逆毛を立てて、毛髪のボリュームアップを図ったり、毛髪をランダムな方向に向かわせる目的で、櫛歯の途中や先端に毛髪を上方に掬い上げたりするための引っ掛け用枝部を設けたりするものが知られている。
【０００３】
例えば、粗めと、細かめの二数種の櫛歯を、一本のコームのなかに取り込み、一本のコームの途中で櫛歯の形態を異なる形態に変化させるようにしたものが知られている（特許文献１、特許文献２）。
また粗めの櫛歯を備えたコームと、細かめの櫛歯を備えた、一つに組み合わせるものも知られている（特許文献３、特許文献４）。
【特許文献１】特開２００５−３０４７２０号公報
【特許文献２】実開平６−１５３号公報
【特許文献３】実開昭５５−１４０１号公報
【特許文献４】実開昭６１−３５６０７号公報
【発明の開示】
【発明が解決しようとする課題】
【０００４】
毛髪を梳かすコームにあっては、通常のストレート櫛歯で髪を梳かす作用と、前記した毛髪に逆毛を立てる作用とを同時に兼ね備えるものが存在しなかったため、このような二つの作用を望む場合には、それぞれの作用ごとに異なるコームを準備しなければならないという課題があった。
上記特許文献１〜４に示すものも、ストレート櫛歯と毛髪逆立て櫛歯とを兼ね備える構成ではなかった。
【０００５】
さらに、従来知られている組み合わせヘアーコームは、単に複数のコームを一端側で束ねて同一の軸で折り畳み自在に軸着しただけのものであり、そこにはコームを収納するためのケース体を備えたものも存在しなかった。
そのため本発明は、二種類のコーム、特にストレート櫛歯を有するストレートコームと毛髪逆立て櫛歯を有する毛髪逆立てコームとを別々に備え、この両コームを使い易い状態でひとまとめにすることで、上記のすべての課題を解決できる組み合わせヘアーコームを提供せんとするものである。
【課題を解決するための手段】
【０００６】
本発明に係る組み合わせヘアーコームの請求項１のものは、開口面を有する鞘型ケース体の中に二種類のコーム体を収納し、各コーム体は櫛歯の延伸方向に向かって、鞘型ケース体に対して個別に平行スライド状に出没できるように収納されていることを特徴とする組み合わせヘアーコームである。
【０００７】
また請求項２は、開口面を有する鞘型ケース体の中に二種類のコーム体を収納し、各コーム体は鞘型ケースの一端部に係止した一本の支軸にまとめて折り畳み自在に軸着され、各コーム体はこの支軸を中心として個別に鞘型ケース体から転動スライド状に出没できるように収納されていることを特徴とする組み合わせヘアーコームである。
【０００８】
さらに請求項３は、開口面を有する鞘型ケース体の中に二種類のコーム体を収納し、各コーム体は鞘型ケースの両端部に係止した二本の支軸にそれぞれ別個に折り畳み自在に軸着され、各コーム体はこの両支軸を中心として個別に鞘型ケース体から転動スライド状に出没できるように収納されていることを特徴とする組み合わせヘアーコームである。
【０００９】
ついで請求項４は、二種類のコーム体を折り畳み自在に連結軸で軸着し、このコーム体を二本まとめた状態でも、あるいは一本のコーム体を展開した状態でもコーム体をケース体に嵌合保持するための連結嵌合部を、コーム体と鞘型ケース体の適所に形成したことを特徴とする組み合わせヘアーコームである。
【００１０】
また請求項５は、二種類のコーム体が、ストレート櫛歯を有するストレートコーム体と毛髪逆立て櫛歯を有する毛髪逆立てコーム体であることを特徴とする請求項１乃至４のいずれかに記載の組み合わせヘアーコームである。
【００１１】
また請求項６は、コーム体の先端に近い位置に分け目形成櫛歯を形成し、その手前側に位置する櫛歯を短寸櫛歯に形成することを特徴とする請求項１乃至５のいずれかに記載の組み合わせヘアーコームである。
【発明の効果】
【００１２】
本発明に係る請求項１乃至４の組み合わせヘアーコームは、二種類のコーム体を不使用時にはケース体内に安定的に収納保持し、使用時には簡単な操作だけで使用したいコーム体をケース体から外側に配設させ、コーム体による好みのへアースタイルの調整を簡単に行えるという優れた効果を発揮する。
【００１３】
また請求項５の組み合わせヘアーコームは、ストレートコーム体と毛髪逆立てコーム体との組み合わせにかかるものであるため、一つの組み合わせヘアーコームを用意するだけで、毛髪を梳かすことと、毛髪に逆毛を立てることとが簡単に行えるという効果を発揮する。
【００１４】
また請求項６の組み合わせヘアーコームは、頭髪の分け目を形成することが簡単となる分け目形成櫛歯を備え、その手前側には短寸櫛歯を備えたため、分け目形成櫛歯の下端で髪の毛をかき分けやすくなり、所望の位置に正確かつきれいに分け目を形成できるという効果を発揮する。
【発明を実施するための最良の形態】
【００１５】
以下、図面を参照して本発明の組み合わせヘアーコームの実施の形態を説明するが、本発明はこれらの実施の形態に制限されるものではない。
図１は本発明の組み合わせヘアーコームの第１実施の形態を示すもので、図１の（ａ）は中央横断平面図であり、同（ｂ）はＡ−Ａ線断面図、同（ｃ）はＢ−Ｂ線断面図である。
図２は第１実施の形態の変形例を示す中央縦断側面図であり、図３はさらに他の変形例を示す側面図である。
図４は本発明の組み合わせヘアーコームの第２実施の形態を示す正面図であり、図５は本発明の組み合わせヘアーコームの第３実施の形態を示す正面図である。
図６乃至図８は本発明の組み合わせヘアーコームの第４実施の形態を示すもので、図６は分解斜視図、図７はコーム体の正面図、図８の（ａ）は一方のコーム体をケース体の外側に配設した状態の使用状態の説明図であり、同（ｂ）はコーム体の他方をケース体の外側に配設した状態の使用状態の説明図である。
【００１６】
図１に示した、本発明に係る組み合わせヘアーコームの第１実施の形態のものは、第１コーム体１と第２コーム体２を、鞘型ケース体３内に収納するもので、鞘型ケース体３の一面は開口面４に形成されている。第１コーム体１はストレート櫛歯５を有するストレートコーム体６とし、第２コーム体２は毛髪逆立て櫛歯７を有する毛髪逆立てコーム体８として例示したが、これらのコーム体の種類は特にこの例に限られることはなく、自由に組み合わせることが可能である。
【００１７】
本発明の第１コーム体１と、第２コーム体２とは、鞘型ケース体３の中に収納されるが、使用時には各コーム体１，２を鞘型ケース体３から個別に平行スライド状に出没できる構成になっている。この場合の、各コーム体１，２の平行スライドの方向は、櫛歯５，７の延伸方向とすることが、操作性の観点からは好ましい。
【００１８】
ここで各コーム体１，２をスライド操作させる一例を説明すると、各コーム体１，２の一部に操作突起９を突設させておき、この操作突起９は鞘型ケース体３の適所に穿設したスライド溝１０に嵌入されるようにしておき、指先や手のひらでこの操作突起９を鞘型ケース体３のスライド溝１０に沿って、図１の（ｂ）、（ｃ）における上下方向に移動させることで、各コーム体１，２の平行スライド移動が可能となる。
なお、スライド溝１０の形成位置は、鞘型ケース体３の左右側面、あるいは前後の正背面のいずれに形成することも可能であり、そのスライド溝１０の形成位置に合わせて、前記の操作突起９の形成位置も決まることになる。
【００１９】
図２に示す変形例では、鞘型ケース体３の内面適所に膨隆部１１を形成し、この膨隆部１１で各コーム体１，２の基部を挟み込んで、コーム使用時の各コーム体１，２の位置安定を図るようにした例である。
【００２０】
図３に示す変形例では、スライド溝１０の側面形状を逆Ｙ字状に形成して、鞘型ケース体３の外側に第１コーム体１又は第２コーム体が突出している状態時において、その突出状態のコーム体１，２が鞘型ケース体３の開口面４の中央付近に位置できるようにしたり、一方のコーム体が鞘型ケース体３の外側に突出している際には、他方のコーム体が鞘型ケース体３の外側に出ないようにするなどして、使用性を向上させるようにした例である。
【００２１】
次に図４に示す、本発明の組み合わせヘアーコームの第２実施の形態について説明するが、前記第１実施の形態で説明した図面上の構成と同一のものについては、すべて同一の符号を付して説明し、特に断りのない限り上記の説明を援用してその説明を省略する場合がある。
【００２２】
この第２実施の形態は、第１コーム体１と第２コーム体２を鞘型ケース体３の一端部に係止した一本の支軸２１にまとめて折り畳み自在に軸着されたもので、各コーム体１，２はこの支軸２１を中心として個別に鞘型ケース体３から転動スライド状に出没できるように収納されるものである。
【００２３】
第２実施の形態にかかるものは、支軸２１を一本とし、各コーム体１，２の動きは支軸２１を中心にして転動スライド状に出没するというもので、使用時には各コーム１，２のいずれか一方が鞘型ケース体３の外側に位置し、他方は鞘型ケース体３内に収納され、コームの不使用時には両方のコーム体１，２が鞘型ケース体３内に収納されることとなる。
【００２４】
次に図５に示す、本発明の組み合わせヘアーコームの第３実施の形態について説明するが、前記第１実施の形態で説明した図面上の構成と同一のものについては、すべて同一の符号を付して説明し、特に断りのない限り上記の説明を援用してその説明を省略する場合がある。
【００２５】
この第３実施の形態は、第１コーム体１と第２コーム体２を鞘型ケース体３の両端部に係止した二本の支軸２２，２３に別個に折り畳み自在に軸着されたもので、各コーム体１，２はこの支軸２２，２３を中心として個別に鞘型ケース体３から転動スライド状に出没できるように収納されるものである。
【００２６】
第３実施の形態にかかるものは、支軸２２，２３を二本とし、各コーム体１，２の動きは各対応する支軸２２，２３を中心にして転動スライド状に出没するというもので、使用時には各コーム１，２のいずれか一方が鞘型ケース体３の外側に位置し、他方は鞘型ケース体３内に収納され、コームの不使用時には両方のコーム体１，２が鞘型ケース体３内に収納されることとなる。
【００２７】
次に図６乃至図８に示す、本発明の組み合わせヘアーコームの第４実施の形態について説明するが、前記第１実施の形態で説明した図面上の構成と同一のものについては、すべて同一の符号を付して説明し、特に断りのない限り上記の説明を援用してその説明を省略する場合がある。
【００２８】
この第４実施の形態は、第１コーム体１と第２コーム体２を一本の支軸２４でまとめて折り畳み自在に軸着されたもので、鞘型ケース体３はこの第１コーム体１と第２コーム体２とは別体に設けられ、第１コーム体１と第２コーム体２は鞘型ケース体３から分離することが可能な状態となるものである。
【００２９】
第４実施の形態にかかるものは、支軸２４を一本とし、各コーム体１，２の動きは支軸２４を中心にして転動スライド状になるというもので、使用時には各コーム１，２のいずれか一方が鞘型ケース体３の外側に位置し、他方は鞘型ケース体３内に収納され、コームの不使用時には両方のコーム体１，２が鞘型ケース体３内に収納されることとなる。
使用時には、一方のコーム体が鞘型ケース体３の中に納まり、鞘型ケース体３と一体的になってハンドル（柄部）の働きをする。
【００３０】
第４実施の形態にかかるものは、二枚重なったコーム体１，２の適所、図６乃至図８では、第１コーム体１及び第２コーム体２の肉厚端部３１が連結嵌合部の雄型となり、鞘型ケース体３の側壁に形成した切り欠きガイド３２が連結嵌合部の雌型となるように形成している。
【００３１】
この連結嵌合部の構成は各種のものが考えられるが、上記したような連結嵌合部の雄型と、雌型の組み合わせ形態が便利である。
このような連結嵌合部の係脱を行うことにより、コーム体１，２と鞘型ケース体３との結合と、分離を簡単に行えることとなる。
【００３２】
またコーム体１，２の先端に近い位置に分け目形成櫛歯１５を形成し、その手前側に位置する櫛歯を短寸櫛歯１６に形成すると、分け目形成櫛歯15に近くに空間が確保され、その分け目形成櫛歯１５が周囲の櫛歯と隔たった存在となるため、分け目形成櫛歯15の下端を利用して髪の毛をかき分ける事が簡単になり、そのため分け目形成櫛歯１５で簡単に、所望の位置に正確かつきれいに分け目を形成することができる。
【００３３】
最後に、ストレートコーム体６は、ストレート櫛歯５を有するものであり、毛髪逆立てコーム体８は、毛髪逆立て櫛歯７を有するものである。
毛髪逆立て櫛歯７は、折り返し部を有する歯であるが、途中にストレート櫛歯を有するように構成することはもちろん可能である。
【産業上の利用可能性】
【００３４】
本発明によれば、組み合わせヘアーコームを取り扱う分野で利用可能である。
【図面の簡単な説明】
【００３５】
【図１】本発明の組み合わせヘアーコームの第１実施の形態を示すもので、図１の（ａ）は中央横断平面図であり、同（ｂ）はＡ−Ａ線断面図、同（ｃ）はＢ−Ｂ線断面図である。
【図２】第１実施の形態の変形例を示す中央縦断側面図である。
【図３】さらに他の変形例を示す側面図である。
【図４】発明の組み合わせヘアーコームの第２実施の形態を示す正面図である。
【図５】本発明の組み合わせヘアーコームの第３実施の形態を示す正面図である。
【図６】本発明の組み合わせヘアーコームの第４実施の形態を示す分解斜視図である。
【図７】同コーム体の正面図である。
【図８】同コーム体で、（ａ）は一方のコーム体をケース体の外側に配設した状態の使用状態の説明図であり、同（ｂ）はコーム体の他方をケース体の外側に配設した状態の使用状態の説明図である。
【符号の説明】
【００３６】
１  第１コーム体
２  第２コーム体
３  鞘型ケース体
４  開口面
５  ストレート櫛歯
６  ストレートコーム体
７  毛髪逆立て櫛歯
８  毛髪逆立てコーム体
９  操作突起
１０  スライド溝
１１  膨隆部
１５  分け目形成櫛歯
１６  短寸櫛歯
２１，２２，２３，２４  支軸
３１  肉厚端部
３２  切り欠きガイド
【図１】
2010233664.tif 000003
【図２】
2010233664.tif 000004
【図３】
2010233664.tif 000005
【図４】
2010233664.tif 000006
【図５】
2010233664.tif 000007
【図６】
2010233664.tif 000008
【図７】
2010233664.tif 000009
【図８】
2010233664.tif 000010